(57)【要約】　　　（修正有）【課題】作業台を支持構造体に対して正しい位置に固定できまた迅速に取り外すことができる連結装置を提供する。【解決手段】家具部品、特にテーブル、机および作業台２の位置合せと連結を行うための、例えばねじや接着剤によって作業台２の下部に連結される１個またはそれ以上の磁性体７を備える装置が提供される。この１個またはそれ以上の磁性体７はそれぞれ、支持構造体３の上部に配置される少なくとも一部は金属製である固定のための各要素１１に取外し可能に連結される。【選択図】　　　図１
2004000545.tif 000002
【特許請求の範囲】
【請求項１】
特に作業台を支持構造体の頂部上で位置合せして連結する、位置合せと連結のための装置であって、前記作業台の下部に連結され、かつ少なくとも一部は金属製で前記支持構造体上に配置される１個またはそれ以上の固定のための要素に取外し可能に連結される、１個またはそれ以上の磁性体から構成されることを特徴とする装置。
【請求項２】
前記１個またはそれ以上の固定のための要素は、前記１個またはそれ以上の磁性体を一時的に収納するため、これら磁性体にほぼ対応する形状のシートを形成するよう、上部が中空の箱型の形状をしていることを特徴とする請求項１に記載の装置。
【請求項３】
前記１個またはそれ以上の固定のための要素は、前記支持構造体に連結されるかまたは一体的に結合され、かつ前記支持構造体の上部における対応する形状の各空隙に収容されることを特徴とする請求項１に記載の装置。
【請求項４】
前記磁性体はディスク形状で、ねじの支柱を通すための軸方向に延びる第１の穴を有し、このねじは前記作業台の下面において予めこのねじに対応するねじ山が設けられた第２のブラインドホールに連結されることを特徴とする請求項１に記載の装置。
【請求項５】
前記１個またはそれ以上の磁性体は、インターロック方式または接着剤によって前記作業台の下面に連結または一体的に結合されることを特徴とする請求項１に記載の装置。
【請求項６】
前記磁性体の少なくとも１個は、一方の側は、前記作業台の各隅の近傍における下面に連結または一体的に結合され、他方の側は、前記支持構造体の各隅の近傍に予め連結された前記少なくとも一部が金属製である固定のための要素の１個に取外し可能に連結されることを特徴とする請求項１に記載の装置。
【請求項７】
前記２個の磁性体は、一方の側は前記作業台の各隅の近傍における下面に連結または一体的に結合され、他方の側は、前記支持構造体の各隅の近傍に予め連結された前記少なくとも一部が金属製の２個の固定のための要素に取外し可能に連結されることを特徴とする請求項２に記載の装置。
【請求項８】
前記２個の磁性体は、作業台の周縁から好ましくは約４５°の角度をなす線上に位置するように配置されることを特徴とする請求項７に記載の装置。
【請求項９】
前記支持構造体は、互いに平行な２つの対をなす４本の長手部材に上端が連結された４本の脚から構成され、前記少なくとも一部が金属製である固定のための要素は、前記脚の上端近傍において前記長手部材に連結されることを特徴とする請求項１に記載の装置。
【請求項１０】
前記支持構造体は、互いに平行な２つの対をなす４本の長手部材に上端が連結された４本の脚から構成され、前記少なくとも一部が金属製である固定のための要素は、前記脚の上端近傍において前記長手部材に連結されることを特徴とする請求項１に記載の装置。
【請求項１１】
前記磁性体はプレート状または細長い小片状であることを特徴とする請求項１に記載の装置。
【請求項１２】
前記磁性体は、前記作業台の下方に形成される、対応する形状のシートに収納されることを特徴とする請求項１に記載の装置。
【請求項１３】
前記磁性体は、前記支持構造体の上方に形成される、対応する形状のシートに収納されることを特徴とする請求項１に記載の装置。
【請求項１４】
前記１個またはそれ以上の磁性体は、強磁性体から形成されることを特徴とする請求項１に記載の装置。
【請求項１５】
前記１個またはそれ以上の磁性体は、所定のおよび／または調節可能な強度の一時的または恒久的な磁場を生起するのに適した電気または電子装置によって構成されることを特徴とする請求項１に記載の装置。
【請求項１６】
特に作業台を支持構造体の頂部上で位置合せして連結する、位置合せと連結のための装置であって、前記支持構造体の上部に連結され、かつ少なくとも一部は金属製で前記作業台の下方に配置される１個またはそれ以上の固定のための要素に取外し可能に連結される、１個またはそれ以上の磁性体から構成されることを特徴とする装置。
【請求項１７】
前記１個またはそれ以上の固定のための要素は、前記１個またはそれ以上の磁性体を一時的に収納するため、これら磁性体にほぼ対応する形状のシートを形成するよう、下部が中空の箱型の形状をしていることを特徴とする請求項１６に記載の装置。
【請求項１８】
前記１個またはそれ以上の各磁性体について、生起した磁場を遮断するための、少なくとも一部は金属製の要素から構成される装置を備えることを特徴とする請求項１６に記載の装置。
【請求項１９】
前記磁性体はプレート状または細長い小片状であることを特徴とする請求項１６に記載の装置。
【請求項２０】
前記磁性体は、前記作業台の下方に形成される、対応する形状のシートに収納されることを特徴とする請求項１６に記載の装置。
【請求項２１】
前記磁性体は、前記支持構造体の上方に形成される、対応する形状のシートに収納されることを特徴とする請求項１６に記載の装置。
【請求項２２】
前記１個またはそれ以上の磁性体は、強磁性体から形成されることを特徴とする請求項１６に記載の装置。
【請求項２３】
前記１個またはそれ以上の磁性体は、所定のおよび／または調節可能な強度の一時的または恒久的な磁場を生起するのに適した電気または電子装置によって構成されることを特徴とする請求項１６に記載の装置。
【発明の詳細な説明】
【０００１】
【発明の属する技術分野】
本発明は、家具、特にテーブルや机、一般には作業台の部品の位置合せと連結のための装置に関する。
【０００２】
【従来の技術】
最近、作業台とこの作業台を上に載せて固定する支持構造体から構成されるテーブルが使用されている。
作業台と支持構造体の連結は、通常、セルフタッピンねじ、メートルねじ、連結具付きピボット等（所望により接着剤を用いる）の公知の機械的な連結手段を用いて行われる。
【０００３】
他の公知の連結手段は、作業台よりも下方の領域および／または支持構造体よりも上方の領域で形成ないし結合されるインターロック要素から構成され、接着剤の助けを借りまたは借りずに相互に作用する。
これら公知の連結手段の主たる欠点は、連結作業をする作業員にとって時間がかかりすぎるということである。
【０００４】
この欠点は、連結をする前に、連結する他の部品に対して正確に位置合せをする必要がある場合に大きなものとなる。
公知の連結手段におけるもう一つの欠点は、組立てに熟練者が必要なことである：例えばねじの固定や接着剤の塗布には習熟が必要である。
もう一つの重要な欠点は、一旦作業台と支持構造体が連結されると、この作業台の下に配置される付属品、ケーブルまたは装置の取付けや保守のため、あるいは家具の移動や保管を容易にするために、この作業台を取り外そうとしても、それが不可能であるか少なくとも容易でないことである。
【０００５】
【発明が解決しようとする課題】
本発明の目的は、迅速かつ非常に簡単に作業台の位置合せをし、この作業台をこの下にある支持構造体に対して正しい位置に固定することができる、家具、特にテーブルや机の部品の位置合せと連結のための装置を提供することにより、上述の公知技術における欠点を除去して上記の問題を解決することである。
【０００６】
この目的のため、本発明は、固定のための要素を取外す必要なく、作業台を支持構造体からきわめて迅速に取外すことを可能にする装置を提供する。
本発明のもう一つの目的は、上記作業台の下に位置するケーブル、付属品その他の装置の保守や位置合せを簡単に行うことができ、同時にテーブルの移動および／または保管を簡単かつ迅速に行うことを可能にすることである。
【０００７】
本発明のもう一つの目的は、専門家ではないユーザでも作業台と支持構造体の連結と取外しが容易にできる装置を提供することである。
本発明のさらなる目的は、構造が簡単で製造コストが安価な装置を提供することである。
【０００８】
【課題を解決するための手段】
上述の目的および、以下の記載により明確になるであろう他の目的は、位置合せと連結のための装置、特に、少なくとも一部は金属製で、支持構造体の上に配置される１個またはそれ以上の各固定のための要素と取外し可能に連結され、かつ作業台の下方で連結される１個またはそれ以上の磁性体によって構成されることを特徴とする、支持構造体の頂部で作業台を位置合せし連結するための装置によって達成される。
【０００９】
本発明のさらなる特徴と利点は、添付の図面を参照して行う、本発明を限定する意図なく用いる実施例によって示される特定の態様についての詳細な説明から明らかになるであろう。
【００１０】
【発明の実施の形態】
各図において、符号１は、特に符号３で示す支持構造体上で作業台２の取外し可能な固定を実現するために用いられる位置合せと連結のための装置を指す。
図２の態様は、符号６で示され、各対が互いに平行である４本の長手部材に上端５ａが連結された４本の脚５から構成される、支持構造体３を備えるテーブル４を表す。
【００１１】
位置合せと連結のための装置１は、作業台２の下方で連結される、符号７で示す１個またはそれ以上の磁性体から構成される。
好ましくは、ディスク形状を有する磁性体７の作業台２への連結は、例えばインターロックおよび／または接着、あるいは図示の態様にあるように、作業台２の下面に予めブラインドホール（止まり穴）として設けられる第２の穴１０にねじ止めするため、磁性体７の中心部に同軸に、第２の穴１０と対向して形成される第１の穴９を貫通する支柱８ａをねじ８によって行われる。
【００１２】
図１は、作業台２と、この作業台２の４つの隅それぞれにおいて作業台の下面に連結される２個の磁性体７を示す、テーブル４における一つの隅の拡散分解図である。
特に、２個の磁性体７は、支持構造体の上に配置される一部が金属製の固定のための要素１１のそれぞれにおいて取外し可能に連結されるように、作業台２の周縁から好ましくは約４５°の角度をなす線上に位置するように配置される。
【００１３】
固定のための要素１１は、例えば脚５の上端５ａに近接する位置において長手部材６に形成される、この要素に対応する形状の空隙（図示せず）に連結される。
固定のための要素１１は、磁性体７にほぼ対応する形状を有し、磁性体７を一時的に収容するのに適したシート（座）を形成するように、上部に空隙がある箱型の形状をしているのが好ましい。
【００１４】
図１を参照して説明すると、作業は次のように行われる：磁性体７を固定のための要素１１の中に収めることによって、作業台２を支持構造体３の頂部に連結する：磁性体７の寸法は、所定の必要な力を使って作業台だけを単独で持ち上げることによって作業台２を一時的に取り外せるようにしながら、他方で各部品をしっかり組み合わせることができるようなものにする。
【００１５】
金属製の固定のための要素１１は箱型の形状にすることで、作業台２が水平方向に移動するのを防止し、またテーブル４の上またはこの近傍に設置される電子機器（例えばプリンタ、各種の端末あるいは携帯電話）への磁気的な干渉を防ぐため、磁性体７によって生起される磁場を遮断するのに適した金属製のケージを構成する。
【００１６】
本発明は、迅速かつ非常に簡単に位置合せを行い、同時に作業台をその下方にある支持構造体に固定することができる、テーブルや机など家具の部品の位置合せと連結のための装置を提供するという所定の目的を達成することが明らかになった。
本発明は勿論、発明の要旨の範囲内で多くの変形が可能である。
【００１７】
したがって、例えば、作業台の下面に便宜的にまたは強固に連結される少なくとも一部が金属製の各固定のための要素に一方の側が取外し可能に連結され、他方の側が支持構造体の上部に連結される、１個またはそれ以上の磁性体から構成される別個の位置合せと連結のための装置を提供することもできる。
同様に、磁性体および／または磁性を帯びた固定のための要素の寸法は、上述のものとは異なるもの、例えばプレート状や細長い小片状にすることができる。
【００１８】
本発明における個々の部品の材料や寸法は、特定の用途にしたがってより適切なものにすることができる。
図示の態様においては、特定の機能を発揮する種々の手段は必要ではなかった。しかし、図示していない態様を含む多くの態様においては、これらを用いることができる。
【００１９】
【発明の効果】
以上の説明で明らかなように、本発明によれば、ユーザは、非常に簡単にかつ迅速に、作業台の下方に配置されるケーブル、付属品その他の装置の保守と位置合せを行うことができ、またテーブルを迅速に移動したり、保管のために解体することができる。
【００２０】
さらに、上記の作業は、テーブルの最終ユーザのような熟練者でない人でも容易に行うことができる。
【図面の簡単な説明】
【図１】テーブルを組み立てるための位置合せと連結のための装置の拡散分解図である。
【図２】本発明の装置によって組み立てられたテーブルの平面を示す斜視図である。
【図３】磁性体が上に見えるように上下を反転させた作業台の斜視図である。
【図４】支持構造体の斜視図である。
【符号の説明】
２　　　作業台
３　　　支持構造体
４　　　テーブル
５　　　脚
６　　　長手部材
７　　　磁性体
８　　　ねじ
１１　　少なくとも一部は金属製の固定のための要素
【図１】
2004000545.tif 000003
【図２】
2004000545.tif 000004
【図３】
2004000545.tif 000005
【図４】
2004000545.tif 000006